【手続補正書】
【提出日】平成18年6月23日(2006.6.23)
【手続補正１】
【補正対象書類名】明細書
【補正対象項目名】発明の名称
【補正方法】変更
【補正の内容】
【発明の名称】レンズ鏡筒およびこれを備えたカメラ
【手続補正２】
【補正対象書類名】明細書
【補正対象項目名】特許請求の範囲
【補正方法】変更
【補正の内容】
【特許請求の範囲】
【請求項１】  レンズを駆動するためのモータと、このモータを保持し、鏡筒本体に取り付けられるモータ保持部材とを有するレンズ鏡筒において、
前記モータ保持部材を、
１箇所のビス締めによるビス締め取付け部と、
前記鏡筒本体および前記モータ保持部材を係止するための係止取付け部と
で前記鏡筒本体に取り付けたことを特徴とするレンズ鏡筒。
【請求項２】  前記係止取付け部の係止は、
前記鏡筒本体および前記モータ保持部材の一方に設けた挟み込み部に、他方に設けた被挟み込み部を挟み込むこと、又は、
前記鏡筒本体および前記モータ保持部材の一方に設けた穴に、他方に設けた突起を圧入すること、又は、
前記鏡筒本体および前記モータ保持部材の一方に設けた係止爪を、他方に設けた被係止部に係合すること、
のいずれかであることを特徴とする請求項１に記載のレンズ鏡筒。
【請求項３】  前記ビス締め取付け部と前記係止取付け部とを、前記モータの軸を挟んだ両側に分けて配置したことを特徴とする請求項１または２に記載のレンズ鏡筒。
【請求項４】  前記モータ保持部材が前記鏡筒本体に対し、前記モータの軸が鏡筒光軸と平行になり、かつ前記ビス締め取付け部及び前記係止取付け部が前記モータの軸を挟んで鏡筒光軸に近い側と遠い側とに分かれるように配置されており、
前記鏡筒光軸に近い側に前記ビス締め取付け部を配置し、前記鏡筒光軸に遠い側に前記係止取付け部を配置したことを特徴とする請求項３に記載のレンズ鏡筒。
【請求項５】  前記ビス締め取付け部が、前記係止取付け部よりも、前記モータを含めた前記モータ保持部材の重心に近い位置に配置されていることを特徴とする請求項１から４のいずれかに記載のレンズ鏡筒。
【請求項６】  前記係止取付け部に、モータ振動の前記鏡筒本体への伝達を抑えるための制振部材を配置したことを特徴とする請求項１から５のいずれかに記載のレンズ鏡筒。
【請求項７】  前記係止取付け部による前記モータ保持部材の前記鏡筒本体への取付けにより、前記モータ保持部材が前記鏡筒本体に対して鏡筒光軸の垂直方向について位置決めされ、
前記モータ保持部材の前記鏡筒本体に対する鏡筒光軸の水平方向についての位置決めを行う位置決め部を設けたことを特徴とする請求項１から６のいずれかに記載のレンズ鏡筒。
【請求項８】  前記鏡筒光軸の水平方向における前記モータ保持部材の前記鏡筒本体に対する振れを規制する振れ規制部を設けたことを特徴とする請求項７に記載のレンズ鏡筒。
【請求項９】  前記モータが、出力軸にリードスクリューが一体的に設けられたステッピングモータであることを特徴とする請求項１から８のいずれかに記載のレンズ鏡筒。
【請求項１０】  請求項１から９のいずれかに記載のレンズ鏡筒を備えたことを特徴とするビデオカメラ。
【請求項１１】  請求項１から９のいずれかに記載のレンズ鏡筒を備えたことを特徴とする静止画カメラ。
【手続補正３】
【補正対象書類名】明細書
【補正対象項目名】０００４
【補正方法】変更
【補正の内容】
【０００４】
このズームレンズを構成する４つのレンズ群２０１ａ〜２０１ｄは、固定された前玉レンズ２０１ａ、光軸に沿って移動することで変倍動作を行うバリエーターレンズ群２０１ｂ、固定されたアフォーカルレンズ２０１ｃ、および光軸に沿って移動することで変倍時の焦点面維持と焦点合わせを行うフォーカシングレンズ群２０１ｄからなる。
【手続補正４】
【補正対象書類名】明細書
【補正対象項目名】００１８
【補正方法】変更
【補正の内容】
【００１８】
２２５はズームエンコーダー、２２７はフォーカスエンコーダーである。これらのエンコーダーはそれぞれ、バリエーターレンズ群２０１ｂおよびフォーカシングレンズ群２０１ｄの光軸方向の絶対位置を検出する。なお、図１１に示すようにバリエーター駆動源としてＤＣモータを用いる場合には、ボリューム等の絶対位置エンコーダーを用いたり、磁気式のものを用いたりする。
【手続補正５】
【補正対象書類名】明細書
【補正対象項目名】００３２
【補正方法】変更
【補正の内容】
【００３２】
【課題を解決するための手段】
上記の問題を解決するため、本発明では、レンズを駆動するためのモータと、このモータを保持し、鏡筒本体に取り付けられるモータ保持部材とを有するレンズ鏡筒において、モータ保持部材を、１箇所のビス締めによるビス締め取付け部と、ビス締め以外の方法（例えば、鏡筒本体およびモータ保持部材の一方に設けた挟み込み部に他方に設けた被挟み込み部を挟み込む方法、鏡筒本体およびモータ保持部材の一方に設けた穴に他方に設けた突起を圧入する方法、又は鏡筒本体およびモータ保持部材の一方に設けた係止爪を他方に設けた被係止部に係合する方法）によって、鏡筒本体及びモータ保持部材を係止するための係止取付け部とで鏡筒本体に取り付けるようにしている。
【手続補正６】
【補正対象書類名】明細書
【補正対象項目名】００３３
【補正方法】変更
【補正の内容】
【００３３】
これにより、モータ保持部材および鏡筒本体には、１箇所のビス締め用の部分（ビス締め取付け部）と、挟み込み等を行うための最低１箇所の部分（係止取付け部）とを形成すればよくなる。そして、挟み込み等を行う部分はビス締め用の部分に比べて小さなスペースで形成することが可能であるため、２箇所のビス締めによりモータ保持部材を取り付ける従来の場合に比べて、モータ保持部材および鏡筒本体の小型化、ひいてはレンズ鏡筒の小型化、小径化を図ることが可能となる。
【手続補正７】
【補正対象書類名】明細書
【補正対象項目名】００３４
【補正方法】変更
【補正の内容】
【００３４】
そして、この場合に、ビス締め取り付け部と係止取付け部とを、モータの軸を挟んだ両側に分けて配置することにより、モータ保持部材の鏡筒本体に対する取付け強度を十分に確保し、モータ振動の共振による鏡筒本体からの騒音発生を防止することが可能となる。
【手続補正８】
【補正対象書類名】明細書
【補正対象項目名】００３５
【補正方法】変更
【補正の内容】
【００３５】
特に、鏡筒本体に対し、モータの軸が鏡筒光軸と平行になり、かつビス締め取付け部及び係止取付け部がモータの軸を挟んで鏡筒光軸に近い側と遠い側とに分かれるようにモータ保持部材を配置した場合に、鏡筒光軸に近い側にビス締め取付け部を配置し、鏡筒光軸に遠い側に係止取付け部を配置すれば、比較的大きなスペースを必要とするビス締め取付け部を鏡筒内径側に、比較的小さなスペースしか必要としない係止取付け部を鏡筒外径側に配置することとなり、レンズ鏡筒のより小径化を図ることが可能となる。
【手続補正９】
【補正対象書類名】明細書
【補正対象項目名】００３６
【補正方法】変更
【補正の内容】
【００３６】
さらに、ビス締め取付け部を、係止取付け部よりも、モータを含めたモータ保持部材の重心に近い位置に配置すれば、モータ振動による鏡筒本体の共振を軽減することが可能となり、レンズ鏡筒からの騒音発生を防止することが可能となる。また、モータ出力軸（リードスクリュー等）の振れを抑えることも可能となる。
【手続補正１０】
【補正対象書類名】明細書
【補正対象項目名】００３７
【補正方法】変更
【補正の内容】
【００３７】
なお、上記各取付け部によるモータ保持部材の鏡筒本体への取り付けにより、モータ保持部材が鏡筒本体に対して鏡筒光軸の垂直方向について位置決めされる場合に、モータ保持部材の鏡筒本体に対する鏡筒光軸の水平方向についての位置決めを行う位置決め部を設けたり、上記鏡筒光軸の水平方向におけるモータ保持部材の鏡筒本体に対する振れを規制する振れ規制部を設けたりしてもよい。
【手続補正１１】
【補正対象書類名】明細書
【補正対象項目名】００５７
【補正方法】変更
【補正の内容】
【００５７】
ＰＺモータ１０やＡＦモータ１１を保持したモータ保持部材１０ｂ，１１ｂを前玉鏡筒５に取り付ける際には、まず前玉鏡筒５の挟み込み部分５ｌにモータ保持部材１０，１１の被挟み込み部分１０ｆ，１１ｆを圧入し、その後、前玉鏡筒５に設けられた位置決めピン（位置決め部）５ｐと振れ止めピン（振れ規制部）５ｑに対して、位置決め穴（位置決め部）１０ｄ，１１ｄと長穴（振れ規制部）１０ｅ，１１ｅとを嵌合させ、ビス穴１０ｃ，１１ｃを通したビス１８を下穴５ｒに締め込む。
【手続補正１２】
【補正対象書類名】明細書
【補正対象項目名】００６２
【補正方法】変更
【補正の内容】
【００６２】
また、固定のアフォーカルレンズ群３を保持する中間枠１２は、Ｖ移動環８およびＲＲ移動環９と同様に、図９に示すように、基準位置決め穴１２ａおよび振れ止めの長穴１２ｂを有し、それぞれガイドバー６ａ，６ｂに嵌合することでアフォーカルレンズ群３の光軸を鏡筒光軸に一致させている。但し、Ｖ移動環８およびＲＲ移動環９は基準位置決め側のスリーブ長を長く設定することで各々のレンズ群の倒れを保証していたが 中間枠１２のスリーブ長は２つの移動レンズ群のスリーブ長によって長く設定することが困難である。このため、本実施形態では、中間枠１２に３個所の前玉鏡筒５との係止部１２ｃ，１２ｄ，１２ｅを設け、アフォーカルレンズ群３の倒れを保証している。なお、係止部１２ｃ，１２ｄ，１２ｅは、前玉鏡筒５に形成された係止溝５ｉ，５ｊおよび係止長穴５ｋに係合する。
【手続補正１３】
【補正対象書類名】明細書
【補正対象項目名】００６３
【補正方法】変更
【補正の内容】
【００６３】
前玉鏡筒５に中間枠１２を組み付ける際には、まず係止部１２ｃもしくは係止部１２ｄを前玉鏡筒５の係止溝５ｉもしくは係止溝５ｊに係合させて中間枠１２の光軸方向の位置を規定し、その後、反対側の係止部１２ｄもしくは係止部１２ｃを前玉鏡筒５の係止部５ｊもしくは係止溝５ｉに係合させることで、図２における左右方向の倒れを規制する。そして、係止部１２ｅを前玉鏡筒５の係止長穴５ｋに係合させることで、図１における左右方向の倒れを規制する。なお、係止部１２ｃ，１２ｄ，１２ｅと係止溝５ｉ，５ｊおよび係止長穴５ｋと係合は、嵌合設定としてもよいし、軽い圧入設定としてもよい。
【手続補正１４】
【補正対象書類名】明細書
【補正対象項目名】００７５
【補正方法】変更
【補正の内容】
【００７５】
なお、上記各実施形態では、モータ保持部材１０ｂ，１１ｂの被挟み込み部分（係止取付け部）１０ｆ，１１ｆを鏡筒本体に形成した挟み込み部（係止取付け部）５ｌによって挟み込み保持する場合について説明したが、係止取付け部の係止として、モータ保持部材に挟み込み部を設けて鏡筒本体の被挟み込み部を挟み込むようにしてもよいし、モータ保持部材と鏡筒本体の一方に穴を形成してここに他方に形成した突起を圧入する方法を採ってもよい。さらに、一方に係止爪を形成し、この係止爪を他方に形成した被係止部に係合させるようにしてもよい。
【手続補正１５】
【補正対象書類名】明細書
【補正対象項目名】００７８
【補正方法】変更
【補正の内容】
【００７８】
【発明の効果】
以上説明したように、本発明では、モータ保持部材を、１箇所のビス締めによるビス締め取付け部と、ビス締め以外の方法（例えば、鏡筒本体およびモータ保持部材の一方に設けた挟み込み部に他方に設けた被挟み込み部を挟み込む方法、鏡筒本体およびモータ保持部材の一方に設けた穴に他方に設けた突起を圧入する方法、又は鏡筒本体およびモータ保持部材の一方に設けた係止爪を他方に設けた被係止部に係合する方法）による係止取付け部とで鏡筒本体に取り付けるようにしているので、モータ保持部材および鏡筒本体には、１箇所のビス締め用の部分（ビス締め取付け部）と、挟み込み等を行うための最低１箇所の部分（係止取付け部）とを形成すればよい。挟み込み等を行う部分はビス締め用の部分に比べて小さなスペースで形成することが可能であるため、２箇所のビス締めによりモータ保持部材を取り付ける従来の場合に比べて、モータ保持部材および鏡筒本体の小型化、ひいてはレンズ鏡筒の小型化、小径化を図ることができる。
【手続補正１６】
【補正対象書類名】明細書
【補正対象項目名】００７９
【補正方法】変更
【補正の内容】
【００７９】
なお、ビス締め取付け部と係止取付け部とを、モータの軸を挟んだ両側に分けて配置すれば、モータ保持部材の鏡筒本体に対する取付け強度を十分に確保し、モータ振動の共振による鏡筒本体からの騒音発生を防止することができる。
【手続補正１７】
【補正対象書類名】明細書
【補正対象項目名】００８０
【補正方法】変更
【補正の内容】
【００８０】
特に、鏡筒本体に対し、モータの軸が鏡筒光軸と平行になり、かつビス締め取付け部及び係止取付け部がモータの軸を挟んで鏡筒光軸に近い側と遠い側とに分かれるようにモータ保持部材を配置した場合に、鏡筒光軸に近い側にビス締め取付け部を配置し、鏡筒光軸に遠い側に係止取付け部を配置すれば、比較的大きなスペースを必要とするビス締め取付け部を鏡筒内径側に、比較的小さなスペースしか必要としない係止取付け部を鏡筒外径側に配置することとなり、レンズ鏡筒のより小径化を図ることができる。
【手続補正１８】
【補正対象書類名】明細書
【補正対象項目名】００８１
【補正方法】変更
【補正の内容】
【００８１】
さらに、ビス締め取付け部を、係止取付け部よりも、モータを含めたモータ保持部材の重心に近い位置に配置すれば、モータ振動による鏡筒本体の共振を軽減することができ、レンズ鏡筒からの騒音発生を防止することができる。また、モータ出力軸（リードスクリュー等）の振れを抑えることもできる。
【手続補正１９】
【補正対象書類名】図面
【補正対象項目名】図９
【補正方法】変更
【補正の内容】
【図９】
2001004898.tif 000001
【添付書類の目録】
【包括委任状番号】９７０３８７４